(57)【要約】【課題】情報再生装置において、本体シャーシに係止されるフロントパネルを簡単に解除して取り外すことを可能にする。【解決手段】情報再生装置１０は、本体シャーシと、本体シャーシに固定される補強用板金部２と、補強用板金部２に取り付けられるフロントパネル３とを備える。補強用板金部２は、その上面に突出する係合爪２１ａを有し、フロントパネル３は、その前面部３１ｂ裏面の上部の長手方向の一端に補強用板金部２と略平行になるように配設された突起板３２を備える。突起板３２は、補強用板金部２の係合爪２１ａに係合する係合孔３２ａと、突起板３２上に略直角に並立する２つのリブ３２ｄ、３２ｅの上端に天板３２ｃを形成した連結型リブ３２ｂとを備える。これにより、連結型リブ３２ｂの鍔部３２ｆ、３２ｇを指で上方に引き上げることができるので、フロントパネル３を係止から簡単に解除して取り外すことができる。【選択図】図６
0003128408.tif 000002
【実用新案登録請求の範囲】
【請求項１】
略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、
前記補強用板金部は、略長方形の平板から形成され、その長手方向の端部で前記本体シャーシにねじ止めされるねじ孔と、前記略長方形の平板の上面に突出する複数の係合爪とを有し、
前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、
前記フロントパネルの前面部の上部における突起板は、該前面部の長手方向の端部を含む複数の位置に配設されると共に、前記補強用板金部の係合爪に係合して係止される略矩形の係合孔を備え、
前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間の略中間位置に配設し、
前記突起板の係合孔が前記補強用板金部の係合爪に上方から重なるようにして係合して係止される情報再生装置において、
前記２つのリブの上端に前記突起板と略平行な屋根状の天板を有し、
前記天板は、前記２つのリブのそれぞれと鍔部を形成し、
前記２つのリブの少なくとも一方を前記突起板の幅方向（前記フロントパネルの長手方向）における端部ではなく中央部に位置させると共に、前記２つのリブの厚みと前記天板の厚みと前記突起板の厚みを略同じにし、
前記鍔部を両方から指で上方に引き上げることにより前記補強用板金部に係合されたフロントパネルを係止から解除することを可能にしたことを特徴とする情報再生装置。
【請求項２】
略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、
前記補強用板金部は、略長方形の平板から形成され、その長手方向の端部で前記本体シャーシにねじ止めされるねじ孔と、前記略長方形の平板の上面に突出する複数の係合爪とを有し、
前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、
前記フロントパネルの前面部の上部における突起板は、該前面部の長手方向の端部を含む複数の位置に配設されると共に、前記補強用板金部の係合爪に係合して係止される略矩形の係合孔を備え、
前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間に配設し、
前記突起板の係合孔が前記補強用板金部の係合爪に上方から重なるようにして係合して係止される情報再生装置において、
前記２つのリブの上端に前記突起板と略平行な屋根状の天板を有し、
前記天板は、前記２つのリブの少なくとも一方と鍔部を形成し、
前記鍔部を指で上方に引き上げることにより前記補強用板金部に係合されたフロントパネルを係止から解除することを可能にしたことを特徴とする情報再生装置。
【請求項３】
前記天板は、前記２つのリブのそれぞれと鍔部を形成することを特徴とする請求項２に記載の情報再生装置。
【考案の詳細な説明】
【技術分野】
【０００１】
本考案は、本体シャーシにフロントパネルを着脱自在に取り付けることが可能なＤＶＤ等の情報再生装置に関する。
【背景技術】
【０００２】
従来より、ＤＶＤ等の情報再生機器におけるフロントパネルは、通常、本体シャーシ等に着脱自在に取り付けられて機器の前面側内部を保護すると共に、機器を調整制御するスイッチやツマミ等が装着される。このようなフロントパネルは、製造時や修理時において、機器内の電子回路部の調整等のために本体シャーシから分離される場合が多く、作業の迅速性のため簡単に本体シャーシから取り外されることが望まれる。例えば、図８（ａ）、（ｂ）及び（ｃ）に示すように、従来の情報再生装置１００においては、略矩形を成す本体シャーシ（図示なし）の底面部と略平行に本体シャーシに固定された横長の補強用板金部１１０に、樹脂部材で形成されたフロントパネル１２０が固定される。補強用板金部１１０は、略長方形の平板１１１から形成され、その端部で本体シャーシにねじ１３０を止めるねじ孔１１２と、その平板１１１の上面で突出する複数の係合爪１１３と、長手方向に沿って配設されたＬ字型補強部１１４とを有している。また、フロントパネル１２０は、その裏面側の上部に係合爪１１３に係合される係合孔１２３を持つ突起板１２２を有し、この突起板１２２の係合孔１２３と補強用板金部１１０の係合爪１１３とを係合してフックさせることにより、補強用板金部１１０に係止される。また、突起板１２２は、突起板１２２上において略直角にかつ互いに略平行に上方に向けて並立する２つの板状のリブ１２４、１２５を備え、係合孔１２３をこれら２つのリブ１２４、１２５の間に配設し、突起板１２２の係合孔１２３が補強用板金部１１０の係合爪１１３に上方から重なるようにして係合してロックされている。しかしながら、上記構成において、フロントパネル１２０と補強用板金部１１０との係合を解除しようとすると、突起板１２２を補強用板金部１１０の上方に持ち上げなければならない。ところが、リブ１２４、１２５を２つの指で左右から矢印Ｆ２の方向に挟んで矢印Ｆ１の方向に持ち上げようとしても、補強用板金部１１０のＬ型補強部１１４や、ねじ１３０が邪魔をするため指が入り難く挟み上げることが困難であった。また、突起板１２２の先端部には、補強用板金部１１０との係合をやり易くするため面取りしてテーパ１２６を持たせているが、この面取り量を大きく取ることは難しく、このため、テーパ１２６と補強用板金部１１０との隙間に指（爪）を入れて上記の係号を外すことが困難であり、また、無理やり外そうとして指（爪）を痛めることがあった。従って、フロントパネル１２０の取り外しに別途冶具等を必要とするなど調整、修理等の作業性に欠けていた。
【０００３】
ところで、特許文献１に示されるように、電子機器の本体に係合部を設け、この係合部に嵌合される係止部と弾性フック部とを有するフロントパネルを、このフロントパネルを覆う操作部品（エスカション）で弾性フック部を押さえることによりフロントパネルを本体に取り付ける部品取付構造が知られている。しかしながら、この部品取付構造は、弾性フック部を外側に反り返った構成にすることや、電子機器にフロントパネルを取付けるためにエスカションを必要とする等、構造が複雑で高価となっていた。
【０００４】
また、特許文献２に示されるように、液晶画面を収納した表示部カバーと、この表示部カバーを回転可能に取り付けて機器本体を収納した本体カバーとから成り、表示部カバーの前面に設けられたスライド可能な係合爪と、表示部カバー内に設けられた溝上に摺動面を有し係合爪にロックされる時に係合爪と独立して動作するツマミとを備えた小型携帯情報機器の表示部開閉ロック構造が知られている。また、特許文献３に示にされるように、ケース表面上の係止歯と係合する係止部と、係止部に形成された摘み部と、制御機器のケースの鍔部と共に制御パネルを挟持する押圧部とを備え、ケースの外側に嵌合してケースに制御パネルを取り付ける取付用器具が知られている。また、特許文献４に示されるように、ロック用爪を有するアームと、このアームと一体化されて前面パネル角穴部に嵌め込んである可動板と、アームの回動運動を支持するバネ付きヒンジと、ロック用爪が縁に引っ掛かる金具とからなり、爪が縁に引っ掛かっているときに前面パネル角穴部の開口から指を入れて可動板を押して金具を外すロック機構が知られている。
【０００５】
しかしながら、上記特許文献２乃至特許文献４は、構造が複雑であると共に、いずれも上述の問題点に対し有効な解決策を開示していない。
【特許文献１】特開２００５‐２２３１０５号公報
【特許文献２】特開平１１‐１４５６３０号公報
【特許文献３】特開平７‐２５４７８５号公報
【特許文献４】実開昭６１‐１９２４８４号公報
【考案の開示】
【考案が解決しようとする課題】
【０００６】
本考案は、上記問題を解決するためになされたものであり、情報再生機器の本体シャーシに係止されてその機器の前面を覆うフロントパネルを手の指だけで簡単に解除して取り外すことを可能とする情報再生装置を提供することを目的とする。
【課題を解決するための手段】
【０００７】
上記目的を達成するため請求項１の考案は、略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、前記補強用板金部は、略長方形の平板から形成され、その長手方向の端部で前記本体シャーシにねじ止めされるねじ孔と、前記略長方形の平板の上面に突出する複数の係合爪とを有し、前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、前記フロントパネルの前面部の上部における突起板は、該前面部の長手方向の端部を含む複数の位置に配設されると共に、前記補強用板金部の係合爪に係合して係止される略矩形の係合孔を備え、前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間の略中間位置に配設し、前記突起板の係合孔が前記補強用板金部の係合爪に上方から重なるようにして係合して係止される情報再生装置において、前記２つのリブの上端に前記突起板と略平行な屋根状の天板を有し、前記天板は、前記２つのリブのそれぞれと鍔部を形成し、前記２つのリブの少なくとも一方を前記突起板の幅方向（前記フロントパネルの長手方向）における端部ではなく中央部に位置させると共に、前記２つのリブの厚みと前記天板の厚みと前記突起板の厚みを略同じにし、前記鍔部を両方から指で上方に引き上げることにより前記補強用板金部に係合されたフロントパネルを係止から解除することを可能にしたものである。
【０００８】
請求項２の考案は、略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、前記補強用板金部は、略長方形の平板から形成され、その長手方向の端部で前記本体シャーシにねじ止めされるねじ孔と、前記略長方形の平板の上面に突出する複数の係合爪とを有し、前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、前記フロントパネルの前面部の上部における突起板は、該前面部の長手方向の端部を含む複数の位置に配設されると共に、前記補強用板金部の係合爪に係合して係止される略矩形の係合孔を備え、前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間に配設し、前記突起板の係合孔が前記補強用板金部の係合爪に上方から重なるようにして係合して係止される情報再生装置において、前記２つのリブの上端に前記突起板と略平行な屋根状の天板を有し、前記天板は、前記２つのリブの少なくとも一方と鍔部を形成し、前記鍔部を指で上方に引き上げることにより前記補強用板金部に係合されたフロントパネルを係止から解除することを可能にしたものである。
【０００９】
請求項３の考案は、請求項２に記載の情報再生装置において、前記天板は、前記２つのリブのそれぞれと鍔部を形成するものである。
【考案の効果】
【００１０】
請求項１の考案によれば、天板の両端に設けた鍔部を手の指で摘んで簡単に引っ張り上げることができるので、補強用板金部に係合する突起板を手の指だけで容易に解除することができ、本体シャーシにロックされたフロントパネルを簡単に取り外すことができる。また、２つの並立するリブは、それらの上下端において天板と突起板の両面で固定されるので、天板がない場合に比べて、リブの強度が増大する。これにより、両端の鍔部を摘み上げる際に、２つのリブの側面を指で押してもリブの撓みが少ないので、上方の鍔部へ力が伝達され易くなり、より強い力で容易に引き上げることができると共に、引き上げの際におけるリブの破損等の発生を低減できる。また、製造ラインでの調整や修理時におけるフロントパネルの取り外し作業において、冶具等を必要とせず作業を迅速に行えるので、製造ラインの作業性が向上すると共に、機器内の電子回路の調整等を効率良く行うことができる。また、２つのリブの少なくとも一方のリブを突起板の中央部に位置させることにより、鍔部も中央部に寄せることができ、突起板の幅方向（フロントパネルの長手方向）の端部近くにねじが存在した場合にも、このねじ山等に邪魔されずに天板の鍔部を摘むことができる。また、天板及び鍔部を突起板と平行な方向に構成しているので、突起板と同じ方向に金型を抜くことができ、従来の金型製作の工程に大きな変更なしに金型製作を行うことができる。また、２つのリブの厚みと天板の厚みと突起板の厚みを略同じにしたことにより、部品成形時の硬化時間差に伴い成形品外表面に発生する窪みであるヒケ（凹痕）や、糸状の細い線状痕であるウェルドラインの発生を抑制でき、また、金型をスムーズに抜けるので引っ掛かって材料が白くなって白化することもない。これにより、品質や製品歩留まりを低下させることなく突起板を成形することが可能となる。
【００１１】
請求項２の考案によれば、天板により２つのリブの強度が増し、鍔部を指で強く摘むことができるので、係合する突起板を容易に引き上げることができ、手の指だけで簡単に係合を解除することができる。従って、上述と同様に、製造ラインでの調整や修理時におけるフロントパネルの取り外し作業においては、冶具等を必要とせず作業を迅速に行えるので、製造ラインの作業性が向上すると共に、機器内の電子回路の調整等を効率良く行うことができる。
【００１２】
請求項３の考案によれば、２つの鍔部の両方にそれぞれ指を引掛けることができるので、係合する突起板をより強く引き上げることができ、より簡単に係合を解除することができる。
【考案を実施するための最良の形態】
【００１３】
以下、本考案の一実施形態について図面を参照して説明する。図１及び図２において、本実施形態における情報再生装置１０は、本体シャーシ１と、補強用板金部２と、フロントパネル３とを備え、情報再生機器をカバーするケースが取り付けられる本体シャーシ１から、機器の前面をカバーするフロントパネル３を取り外し易くするものである。
【００１４】
本体シャーシ１は、略矩形を成し、底面部１１、側面部１２、１３、及び裏面部１４を有する。底面部１１は、フロントパネル３が取り付けられる前面側において、底面に平行に、かつ底面より高くなる係合台１５が形成され、この係合台１５の裏面にはフロントパネル３の下部側を係合する係合爪１５ａ、１５ｂ、１５ｃが設けられている。また、係合台１５上には、補強用板金部２を支持するための複数の支持部１６、１７、及び１８が、係合台１５に垂直で互いに略同じ高さになるように、係合台１５の長手方向の両端と中間部とにそれぞれ配設されている。また、支持部１６における本体シャーシ１の外部側の側面と本体シャーシ１の側面部１２には、フロントパネル３の側面側と係合する係合爪１６ａ及び１２ａがそれぞれ設けられている。
【００１５】
補強用板金部２は、本体シャーシ１に固定されシャーシ強化用の金具であり、金属部材を用いた板金加工で形成される。この補強用板金部２は、略長方形の平板２０から形成され、その両端と中間部に、本体シャーシ１の係合台１５の支持部１６、１７、及び１８に固定されるねじ孔２４を備えた略平面の接続部２１、２２、２３を有し、これら隣接する各接続部間はそれぞれ連結板部２５、２６で連結され、接続部２１、２２、２３付近には、それぞれフロントパネル３の上部側と係合する係合爪２１ａ、２２ａ、及び２３ａが平板上に突出して設けられている。
【００１６】
フロントパネル３は、弾性を持つ樹脂部材等で形成され、略矩形の枠部３１ａとこの枠部３１ａの前面側を覆う前面部３１ｂとを有し、本体シャーシ１に取り付けられてその前面側を覆う前面カバーを成す。このフロントパネル３は、その前面部３１ｂの裏面の上部及び下部における各両端部及び中間部において、それぞれ前面部３１ｂと略直角となり、かつ補強用板金部２と略平行になるように配設された平板状の複数の突起板３２、３３及び３４と、突起板３７、３８及び３９とを備えている。また、これら上部側の突起板３２、３３及び３４は、補強用板金部２の各係合爪２１ａ、２２ａ、及び２３ａに係合して係止される略矩形の係合孔３２ａ、３３ａ、３４ａを備え、下部側の突起板３７、３８及び３９は、本体シャーシ１の係合台１５裏面の係合爪１５ａ、１５ｂ、１５ｃと係合する略矩形の係合孔３７ａ、３８ａ及び３９ａをそれぞれ備えている。また、前面部３１ｂの裏面の左右の側面側においては、前面部３１ｂに略直角となり、かつ本体シャーシ１の側面部１２、１３と略平行になるように配設された突起板３５、３６が形成され、これら突起板３５、３６には、本体シャーシ１の支持部１６及び側面部１２における係合爪１６ａ、１２ａと係合する係合孔３５ａ、３６ａが設けられている。
【００１７】
前面部３１ｂの長手方向の端部に位置する突起板３２は、図３（ａ）、（ｂ）に示すように、突起板３２の平板上において上方に向けて略直角にかつ互いに略平行に並立する２つの板状のリブ３２ｄ、３２ｅと、これらリブ３２ｄ、３２ｅの上端に突起板３２と略平行な屋根状の天板３２ｃを装着した連結型リブ３２ｂを形成している。天板３２ｃは、２つのリブ３２ｄ、３２ｅのそれぞれと鍔部３２ｆ、３２ｇを形成し、鍔部３２ｆ、３２ｇは、天板３２ｃ上の両端に配設されている。この連結型リブ３２ｂは、フロントパネル３の枠部３１ａの上面近くまで伸びる高さとなっている。また、係合孔３２ａは２つのリブ３２ｂ、３２ｃの間の略中間位置に配設されている。また、リブ３２ｄ、３２ｅは、突起板３２の補強の機能も備えている。また、連結型リブ３２ｂと突起板３２とは、同じ厚みで一体に形成されている。これにより、突起板３２の成形時に、厚みの異なりによる冷却時の硬化時間差を抑え、部品成形時の硬化時間差に伴う成形品外表面に発生するヒケ（凹痕）と言われる窪みや、糸状の細いウェルドラインと言われる線状痕の発生を抑制でき、また、金型がスムーズに抜けるので、引っ掛かり等で生じる不要な応力により成形材料が白くなる白化を発生することもない。これにより、形状バラツキの少ない均質な突起板３２の製作を可能としている。
【００１８】
上記構成において、図４に示すように、フロントパネル３の本体シャーシ１（図１参照）への取り付けは、フロントパネル３の前面部３１ｂの上部の突起板３２、３３及び３４と、下部の突起板３７、３８及び３９とが、補強用板金部２の上側と本体シャーシ１の底面部１１の下側とから、補強用板金部２と本体シャーシ１とを挟むようにして係合することにより行われる。このとき、突起板３２、３３及び３４の各係合孔３２ａ、３３ａ、及び３４ａは、これらに対応する補強用板金部２の係合爪２１ａ、２２ａ、及び２３ａと係合しフックされて係止される。また、突起板３７、３８及び３９における各係合孔３７ａ、３８ａ、及び３９ａは、これらに対応する本体シャーシ１の係合台１５の係合爪１５ａ、１５ｂ、及び１５ｃと係合する。また、フロントパネル３の側面側の突起板３５、３６の係合孔３５ａ、３６ａが、本体シャーシ１の支持部１６及び側面部１２における係合爪１６ａ、１２ａと係合することにより、フロントパネル３の側面が本体シャーシ１に固定される。このように、フロントパネル３は、本体シャーシ１に上下及び側面で係合して取り付けられる。ここでは、フロントパネル３と本体シャーシ１との係合において、フロントパネル３の上部における補強用板金部２との係合がフロントパネル３の下部や側面における係合より強くしてある。これにより、上部の係合を外すことにより、全体が本体シャーシ１から外れ易くなるように構成している。なお、図４では、図面を単純化するために本体シャーシ１は図示を省いている。
【００１９】
このフロントパネル３と本体シャーシ１に固定される補強用板金部２の係合において、フロントパネル３の前面部３１ｂにおける長手方向の一方の端部における突起板３２と補強用板金部２の係合状態について図５（ａ）、（ｂ）を参照して説明する。図５（ａ）は、フロントパネル３の前面側から見た本実施形態の情報再生装置１０の部分斜視図であり、図５（ｂ）は、図５（ａ）における情報再生装置１０の平面図である。これらの図において、補強用板金部２には、連結板部２５を強化するＬ字型補強部２７が連結板部２５の長手方向の端部を上方にＬ字型に折り曲げて形成されている。また、突起板３２上の連結型リブ３２ｂにおける２つのリブ３２ｄ、３２ｅの一方のリブ３２ｄは、突起板３２のフロントパネル３の長手方向の幅Ｌ１における端部ではなく、ねじ孔２４から離れる方向に幅Ｌ１の端部３２ｈ（図５（ａ）における右端）から長さＬ２だけ離れた略中央部に位置している。これにより、リブ３２ｄをねじ孔２４から離して、鍔部３２ｆを中央部に寄せることができるので、突起板３２の幅方向（フロントパネルの長手方向）の端部近くにねじが存在した場合おいても、ねじに影響されずに連結型リブ３２ｂの鍔部３２ｆを構成することができる。
【００２０】
次に、補強用板金部２に係合しているフロントパネル３を係止から解除する場合の処理について、図６、図７を参照して説明する。図６は、図５（ａ）のＤ部の拡大図であって、補強用板金部２のねじ孔２４の１つがねじ４で止められた場合を示す。これらの図において、補強用板金部２の接続部２１における係合爪２１ａは、平板を打ち抜いて略三角状の山型に形成されて平板上に突出させられている。フロントパネル３の突起板３２の先端部には、テーパ３２ｉが設けられ、このテーパ３２ｉを設けたことにより突起板３２は補強用板金部２への係合時に補強用板金部２の上面を滑るようにしてこの係合爪２１ａを覆い、突起板３２の係合孔３２ａと補強用板金部２上の係合爪２１ａとをスムーズに係合させることができる。この係合された状態からフロントパネル３を取り外す際、連結型リブ３２ｂの鍔部３２ｆ、３２ｇを人間の親指と人差し指の各指Ｍで挟んで引っ掛けるようにして、鍔部３２ｆ、３２ｇを上方に引き上げることにより、簡単に係合爪２１ａが係合孔３２ａから外れて係合によるフック状態が解除される。また、突起板３２の先端部に補強用板金部２のＬ字型補強部２７の壁があっても、これに影響されずに上記の係合を解除することができる。また、連結型リブ３２ｂのリブ３２ｄ及び鍔部３２ｆが突起板３２の幅方向の端部３２ｈではなく、突起板３２の幅方向の略中央部に位置するので、端部３２ｈの近くのねじ孔２４にねじ４が止められた場合においても、ねじ４に影響されずに鍔部３２ｆを摘むことができる。また、図７に示すように、連結型リブ３２ｂの鍔部３２ｇ（鍔部３２ｆも同様）は、その厚みｄ２の位置がフロントパネル３の突起板３２と略平行となる枠部３１ａの外壁部の肉厚ｄ１の厚みの範囲内に位置されるように配設されている。これにより、フロントパネル３の金型による成形において、連結型リブ３２ｂが存在してもフロントパネル３を金型で抜くことができ、金型製作が可能となる。また、フロントパネル３は弾性を持つので、その前面部３１ｂの長手方向の一端にある突起板３２から係合を外すことにより、フロントパネル３全体を補強用板金部２から解除し易くなる。
【００２１】
このように、本実施形態の情報再生装置１０によれば、フロントパネル３の突起板３２に連結型リブ３２ｂを設けたことにより、その天板３２ｃの両端の鍔部３２ｆ、３２ｇを手の指Ｍで摘んで引っ張り上げることができるので、補強用板金部２に係合する突起板３２を引っ張り上げ易く、かつ強く引き上げることができ、手の指Ｍだけで、また指（爪）を痛めることなく容易に係合状態を解除することができる。また、連結型リブ３２ｂは、２つの並立するリブ３２ｄ、３２ｅがそれらの上下端において天板３２ｃと突起板３２の両面で固定されるので、天板３２ｃがない場合に比べて、リブ３２ｄ、３２ｅの強度が増大する。これにより、天板３２ｃの両端の鍔部３２ｆ、３２ｇを摘み上げる際に、２つのリブ３２ｄ、３２ｅの各側面を指で強く押してもそれらがリブ３２ｄ、３２ｅ間の中央部に向けて撓むことが少ないので、摘み上げる力が直接的に上方の鍔部３２ｆ、３２ｇに伝わり易くなり、より強い力で容易に引き上げることができる。また、引き上げの際に発生するリブ３２ｄ、３２ｅの破損も少ない。これにより、本体シャーシ１にロックされたフロントパネル３を簡単に取り外すことができる。また、製造ラインでの調整や修理時におけるフロントパネル３の取り外し作業において、冶具等を必要とせず迅速に行えるので、製造ラインの作業性が向上すると共に、情報再生機器の調整等を効率良く行うことができる。また、連結型リブ３２ｂのリブ３２ｄ、３２ｅのうち、リブ３２ｄの位置を突起板３２の幅方向の端部３２ｈではなく略中央部に位置させることにより、突起板３２の幅方向の端部３２ｈの近くにねじ４等の突出部材が存在した場合においても、それらに邪魔されずに連結型リブ３２ｂの鍔部３２ｆ、３２ｇを摘んで係合を解除することができる。また、冶具を使って係合を解除する場合においても、ひも、ワイヤ等の簡単な冶具で鍔部３２ｆ、３２ｇを引き上げることができる。また、連結型リブ３２ｂの鍔部３２ｆ、３２ｇを含む天板３２ｃを突起板３２と平行な方向に構成しているので、突起板３２と同じ方向に連結型リブ３２ｂの金型を抜くことができ、従来の金型製作に大きな変更なしに金型を形成することが可能となる。また、連結型リブ３２ｂと突起板３２の板厚を略同じにしたことにより、部品成形時の硬化時間差に伴う成形品外表面に発生するヒケ（凹痕）と言われる窪みや、糸状の細いウェルドラインと言われる線状痕の発生を抑制でき、また、金型がスムーズに抜けるので、引っ掛かり等で生じる不要な応力により成形材料が白くなる白化が発生することもない。これにより、品質や製品歩留まりを低下させることなく突起板３２を成形することが可能となる。
【００２２】
なお、本考案は上記実施形態の構成に限定されるものではなく、考案の趣旨を変更しない範囲で適宜に種々の変形が可能である。例えば、連結型リブの天板を、フロントパネルの前面部と直接連結することにより、天板及び２つのリブの保持強度を増すことができる。また、連結型リブを複数の突起板上に形成して、係合状態を全て指で解除することもできる。
【図面の簡単な説明】
【００２３】
【図１】本考案の一実施形態に係る情報再生装置の分解構成図。
【図２】同上装置の前面側からみた斜視図。
【図３】（ａ）は図１のＡ部の裏面から見た拡大図、（ｂ）は（ａ）のＢ部の拡大図。
【図４】同上装置のフロントパネルと補強用板金部との接続状態を示す図。
【図５】（ａ）は図４のＣ部の前面から見た斜視図、（ｂ）は（ａ）の平面図。
【図６】図５（ａ）のＤ部の拡大図。
【図７】図６のＸ１−Ｘ１線断面図。
【図８】（ａ）は従来の情報再生装置の部分斜視図、（ｂ）は（ａ）のＰ部の拡大図、（ｃ）は（ｂ）のＸ２−Ｘ２線断面図。
【符号の説明】
【００２４】
１  本体シャーシ
２  補強用板金部
３  フロントパネル
１０  情報再生装置
２１ａ  係合爪
２４  ねじ孔
３２  突起板
３２ａ  係合孔
３２ｂ  連結型リブ（リブ）
３２ｃ  天板
３２ｄ、３２ｅ  リブ
３２ｆ、３２ｇ  鍔部
【図１】
0003128408.tif 000003
【図２】
0003128408.tif 000004
【図３】
0003128408.tif 000005
【図４】
0003128408.tif 000006
【図５】
0003128408.tif 000007
【図６】
0003128408.tif 000008
【図７】
0003128408.tif 000009
【図８】
0003128408.tif 000010